(57)【特許請求の範囲】
【請求項１】
流入口とシャワー吐出口が設けられるとともに、前記流入口から供給された原水を前記シャワー吐出口に形成された多数のシャワー孔から吐出させるシャワー用水室を備え、前記流入口が前記シャワー吐出口の中央部と偏心して設けられており、前記シャワー用水室内の前記流入口と対向した位置には扇状の分散面部が突設され、前記シャワー孔のうち外周側に形成されたシャワー孔にはそれぞれ周方向に配列された仕切リブが設けられていることを特徴とするシャワー吐水装置。
【請求項２】
前記シャワー吐出口の中央部には原水を集中して吐出するストレート吐出口が設けられ、ストレート用流入口から供給された原水を前記ストレート吐出口に導くストレート用流路が前記シャワー用水室を貫通して設けられていることを特徴とする請求項１記載のシャワー吐水装置。
【請求項３】
前記ストレート吐出口が円形状に形成され、前記シャワー吐出口が前記ストレート吐出口の外側に同心的に配置されたリング形状に形成されていることを特徴とする請求項２記載のシャワー吐水装置。
【請求項４】
供給された原水を前記ストレート用流路、前記シャワー用水室および浄水路のどれかに選択的に通水する水スイッチと、浄水路に装着される濾過カートリッジからの浄水を吐出する浄水吐出部と、請求項２または３記載のシャワー吐水装置を備えたことを特徴とする浄水器。
【請求項５】
前記水スイッチが回転弁棒を備え、前記ストレート用流路と前記シャワー用水室へそれぞれ原水を供給するストレート用流入口と流入口が前記回転弁棒に沿って直線上に配置されていることを特徴とする請求項４記載の浄水器。
【発明の詳細な説明】
【０００１】
【発明の属する技術分野】
本発明は、均等なシャワーを吐出できるシャワー吐水装置、及び水道栓等に直結して原水をそのまま吐出するか、浄水にして吐出するかを切り換えることができ、吐出状態もそのままストレートに吐出するか、シャワーにするかを切り換えることのできる浄水器に関するものである。
【０００２】
【従来の技術】
近年水に関しての関心が高まり、各家庭や職場においても浄水器の普及が著しい。とくに水道栓等に直結して用いる直結型の浄水器は、小型、軽量で手軽に取り付けて利用することができるため、広く用いられている。この従来の直結型の浄水器は、水道栓の蛇口をひねる感覚で水スイッチを切り換えれば、吐出する水の状態を切り換えることができるものである。すなわち、用途に応じ原水をそのまま吐出するか、浄水にして吐出するかを切り換えることができ、またさらに水の吐出状態もそのままストレートに吐出するか、シャワーにして噴出するのかを切り換えることのできるものである。
【０００３】
そこでこの従来の直結型の浄水器について説明する。図４は従来の浄水器の外観斜視図、図５（ａ）は従来のシャワー吐水装置と浄水器の縦断面図、図５（ｂ）は従来のシャワー吐水装置と浄水器の吐出口キャップの上面図である。図４において１は水道栓、９は水道栓１と浄水器とを接続する継手パイプ、２は固定ナットである。６は浄水器の下ケース、７はその上ケース、８は水道栓１から流入する原水を浄水にする濾過カートリッジである。４は原水のストレート吐出とシャワー吐出を行う吐出口キャップで、吐出口キャップ４には後述するストレート吐出口４５、シャワー吐出口４７が設けられている。５は浄水のストレート吐出とシャワー吐出を行う両口を備えた浄水吐出部である。３は原水のストレート吐出、シャワー吐出、浄水吐出など、一連の吐出、止水状態を切り換える操作レバーである。操作レバー３が原水のスレート吐出、シャワー吐出を行う位置にあるときは、水は矢印ＡからＦに流れ、浄水の吐出を行う位置にあるときは矢印ＡからＢ，Ｃ，Ｄ，Ｅと流れる。
【０００４】
次に浄水器の内部の詳細について説明する。図５（ａ）（ｂ）において１０は水スイッチケースである。水スイッチケース１０には、３つの給水口１０ｂと、後述する原水のストレート用流入口３０およびシャワー用流入口３１と、後述する連結管１６への流入口が周囲に設けられた円筒腔壁１０ａが設けられている。１１は回転弁棒で、円筒腔壁１０ａの中に嵌入されている。１１ａは回転弁棒１１に形成された突起カム、１１ｂは回転弁棒１１の外周に形成された水路溝である。突起カム１１ａは水路溝１１ｂ内に設けられている。１２は各水路溝１１ｂを分離する合成ゴム製のＯリングである。１３は継手パイプ９を通って流入した原水からゴミ等をとるフィルタープレート、１３ａはフィルタープレート１３に形成された多数のフィルター孔、１４は十字状リブ付き弁棒、１５はＤリングである。十字状リブ付き弁棒１４はストレート、シャワー、浄水の３モードの場合には３本設けられるとともに、その上端には支軸が形成されてそれぞれがフィルター孔１３ａの１つに挿入され、同時にその十字状リブと下端が給水口１０ｂ内に挿入されている。すなわちこれらのフィルター孔１３ａは本来のゴミ等の除去作用の他、支軸の案内も兼ねている。そして十字状リブ付き弁棒１４は上動されるとＤリング１５が給水口１０ｂを解放して十字リブと給水口１０ｂの間が通水可能になるが、下動されるとＤリング１５が給水口１０ｂを閉止するものである。１６は連結管で、操作レバー３で浄水のモードを選択したとき、濾過カートリッジに通水するもので浄水路の一部を構成するものであり、１８は十字状リブ付き弁棒１４を給水口１０ｂ側に付勢する圧縮バネである。
【０００５】
十字状リブ付き弁棒１４は回転弁棒１１の各水路溝１１ｂと整合した位置に置かれており、突起カム１１ａが操作レバー３を回動して十字リブ付き弁棒１４の１つを押し上げると、給水口１０ｂが解放される。突起カム１１ａは回転弁棒１１の水路溝１１ｂ内に設定角度を変えて設けられているから、回動することによってそれぞれ別々に十字リブ付き弁棒１４を押し上げることができる。なお同一角度にすれば同時に２つの以上の十字リブ付き弁棒１４を押し上げることもできる。さらに水路溝１１ｂは、左の１つが連結管１６に連通され、中と右の２つが原水のストレート用流入口３０およびシャワー用流入口３１の位置に設けられているので、十字状リブ付き弁棒１４が操作レバー３によって回動されると、突起カム１１ａの押し上げにより給水口１０ｂのどれかが解放され、水路溝１１ｂのどれかを介してさらに連結管１６、原水のストレート用流入口３０、シャワー用流入口３１のどれかと接続されるものである。
【０００６】
３４は浄水用切り換えスイッチ、３５は浄水吐出部５のシャワー吐出を行うシャワー口であり、浄水吐出部５には図示しないがストレート吐出を行う口がシャワー口３５の前側に設けられている。浄水用切り換えスイッチ３４は回転弁棒１１によって切り換えられ、シャワー口３５とストレート口が適宜切り換えられる。連結管１６は濾過カートリッジ８内に接続され、内部に設けられた活性炭層を通って中空糸膜を通って浄水用切り換えスイッチ３４に導かれ、シャワー口３５もしくはストレート口から吐出される。
【０００７】
ところで水スイッチによってストレート用流入口３０、シャワー用流入口３１に選択的に通水される原水は、後述する水スイッチケース１０の下面に設けられたストレート用流路とシャワー用水室４９のどちらかから別々に吐出される。４５は吐出口キャップ４に設けられた円形状のストレート吐出口、４７は同様に吐出口キャップ４に設けられたリング形状のシャワー吐出口である。ストレート吐出口４５は吐出口キャップ４の中央に同心的に立設された円筒部４４から形成され、ストレート用流入口３０と嵌合される。この嵌合によってストレート用流路が形成される。シャワー吐出口４７はストレート吐出口４５の外側に形成され、多数のシャワー孔４０を有している。従って吐出口キャップ４を水スイッチケース４と嵌合させると、ストレート用流入口３０とストレート吐出口４５の円筒部４４とでストレート用流路を形成するとともに、水スイッチケース１０、吐出口キャップ４、吐出口キャップ４の円筒部４４の間にシャワー吐出口４７に通ずるシャワー用水室４９が形成されることになる。いいかえるならシャワー用水室４９内をストレート用流路が貫通した状態となる。このシャワー用水室４９の中に高さの低い分配リング４３が突出しており、多数のシャワー孔４０の外周と内周の孔から吐出される水の分配をしている。
【０００８】
次にこの直結型の従来の浄水器を用いる場合の動作について説明する。まず原水をストレートに吐出させたいときは、操作レバー３を回動して３つの十字状リブ付き弁棒１４のうちの中央の十字状リブ付き弁棒１４を突起カム１１ａで持ち上げる。このとき他の２つの十字状リブ付き弁棒１４は閉鎖されたままである。水道栓１から流入した原水は継手パイプ９を通って、中央の給水口１０ｂに入り、十字状リブ付き弁棒１４の十字状リブに案内されながら、回転弁棒１１の外周の水路溝１１ｂを介して水スイッチケース１０のストレート用流入口３０を通って、吐出口キャップ４のストレート吐出口４５から吐出される。
【０００９】
また原水をシャワーで吐出させたいときは、操作レバー３を回動して３つの十字状リブ付き弁棒１４のうちの右の十字状リブ付き弁棒１４を突起カム１１ａで持ち上げる。このとき他の２つの十字状リブ付き弁棒１４は圧縮バネ１８によって閉鎖されたままである。水道栓１から流入した原水は継手パイプ９を通って、右の給水口１０ｂに入り、十字状リブ付き弁棒１４の十字状リブに案内されながら、回転弁棒１１の一番右の水路溝１１ｂを介して水スイッチケース１０下面のシャワー用流入口３１を通って、シャワー用水室４９の中に入りシャワー吐出口４７の各シャワー孔４０から吐出される。
【００１０】
次に浄水を吐出させたいときには、３つの十字状リブ付き弁棒１４のうちの一番左の十字状リブ付き弁棒１４を突起カム１１ａで持ち上げる。このとき他の２つの十字状リブ付き弁棒１４は圧縮バネ１８によって閉鎖されたままとなる。水道栓１から流入した原水は継手パイプ９を通って、左の給水口１０ｂに入り、十字状リブに案内されながら、回転弁棒１１の一番左の水路溝１１ｂを介して連結管１６に吐き出され、濾過カートリッジ８の中で浄化され、浄水用切り換えスイッチ３４を経て、浄水吐出部５のうち操作レバー３によって選択されたシャワー口３５かストレート口から吐出される。
【００１１】
【発明が解決しようとする課題】
ところで従来の直結型浄水器においては、吐出口キャップ４に設けられたストレート吐出口４５とシャワー吐出口４７は中心軸４８と同心状に配列されるが、原水のストレート用流入口３０、シャワー用流入口３１は水スイッチの回転弁棒１１に沿って水スイッチケース１０に直線状に配列されている。従って、ストレート吐出口４５とシャワー吐出口４７のうち、一方のストレート吐出口４５とストレート用流入口３０の位置を一致させた位置に置くと、シャワー用流入口３１はどうしてもシャワー吐出口４７の中心軸４８から偏った位置に位置せざるをえなくなる。このため原水をシャワー吐出させると、シャワー用水室４９の中心軸４８から偏ったシャワー用流入口３１付近で、シャワー用流入口３１と対向するシャワー孔４０近辺に圧力の高い部分ができ、この部分の周囲では圧力が低くなる。しかも圧力の低い部分では、シャワー用水室４９内の水スイッチケース１０側に比較的大きな循環流が形成され、シャワー孔４０から吐出される流れを絞ってしまう。従ってこのシャワー用流入口３１と対向するシャワー孔４０の付近からは、強くて多量の噴流が噴出されるが、これ以外の部分では弱くて少量の噴流が噴出されるという問題があった。そしてこのような噴出流をもつシャワーは手を差し込むと、手触りが悪いものであった。しかも、シャワー用水室４９内の高圧の部分から低圧側に回り込む流れのため、噴出方向と垂直な速度成分が与えられ、高圧部分から偏りが大きいところほど噴出流の角度が傾斜してくるという問題があった。これはシャワーの形状として見た目も悪く、周囲に水をまき散らすことにもなる。そしてこれは浄水器だけではなく、シャワー吐出口とシャワー用流入口が偏った位置関係に置かれたシャワーを噴出するシャワー吐水装置であれば同様に発生する問題である。
【００１２】
そこで本発明は前記従来の問題点を解決するもので、均等な噴出流とすることができ、手を触れても手触りがよく、噴出流が傾斜しすぎることがなく、シャワーの噴出形状がよいシャワー吐水装置を提供することを目的とする。
【００１３】
さらに本発明は、小型、軽量で水道栓に直結することができ、原水をそのまま吐出するか、シャワーとするか、あるいは浄水とするかを簡単に切り換えられる浄水器を提供することを目的とする。
【００１４】
【課題を解決するための手段】
上記目的を達成するために本発明のシャワー吐水装置は、流入口とシャワー吐出口が設けられるとともに、流入口から供給された原水をシャワー吐出口に形成された多数のシャワー孔から吐出させるシャワー用水室を備え、シャワー用水室内の流入口と対向した位置には扇状の分散面部が突設され、シャワー孔のうち外周側に形成されたシャワー孔にはそれぞれ周方向に配列された仕切リブが設けられていることを特徴とする。
【００１５】
この発明によれば、均等な噴出流とすることができ、手を触れても手触りがよく、噴出流が傾斜しすぎることがなく、シャワーの噴出形状がよいシャワー吐水装置を提供することができる。
【００１６】
【発明の実施の形態】
本発明の請求項１に記載の発明は、流入口とシャワー吐出口が設けられるとともに、流入口から供給された原水をシャワー吐出口に形成された多数のシャワー孔から吐出させるシャワー用水室を備え、シャワー用水室内の流入口と対向した位置には扇状の分散面部が突設され、シャワー孔のうち外周側に形成されたシャワー孔にはそれぞれ周方向に配列された仕切リブが設けられていることを特徴とするシャワー吐水装置であるから、流入口から流入した原水は分散面部によって分散され、各シャワー孔から吐出される噴出流を均等化できるとともに、シャワー孔のうち外周側に形成されたシャワー孔にはそれぞれシャワー用水室内に仕切リブが設けられているから、各シャワー孔に導かれた原水は整流されて吐出される。
【００１８】
請求項２に記載の発明は、シャワー吐出口の中央部には原水を集中して吐出するストレート吐出口が設けられ、ストレート用流入口から供給された原水をストレート吐出口に導くストレート用流路がシャワー用水室を貫通して設けられているから、原水をそのままストレートに吐出させることも、シャワーとして噴出させることもできる。
【００１９】
また、請求項３に記載の発明は、ストレート吐出口が円形状に形成され、シャワー吐出口がストレート吐出口の外側に同心的に配置されたリング形状に形成されているから、原水をストレートで吐出させる場合と、シャワーで噴出させる場合とで、同じ位置から原水を吐出させることができ、コンパクトな配置とすることができる。
【００２０】
請求項４に記載の発明は、供給された原水をストレート用流路、シャワー用水室および浄水路のどれかに選択的に通水する水スイッチと、浄水路に装着される濾過カートリッジからの浄水を吐出する浄水吐出部と、請求項２または３記載のシャワー吐水装置を備えた浄水器であるから、原水をそのまま吐出するか、シャワーとするか、あるいは浄水とするかを水スイッチによって簡単に切り換えられる。
【００２１】
さらに請求項５は、水スイッチが回転弁棒を備え、ストレート用流路とシャワー用水室へそれぞれ原水を供給するストレート用流入口と流入口が回転弁棒に沿って直線上に配置されているから、水スイッチを小型にすることができると同時に、回転弁棒を回動するだけで原水のストレート吐出、原水のシャワー吐出、浄水の吐出を簡単に切り換えることができる。
【００２２】
以下本発明の一実施の形態について図１、図２（ａ）（ｂ）、図３を用いて説明する。
【００２３】
まず本発明の一実施の形態におけるシャワー吐水装置とそれを用いた浄水器について図面に基づいて詳細に説明する。図１は本発明の一実施の形態における浄水器の外観斜視図、図２（ａ）は本発明の一実施の形態におけるシャワー吐水装置とそれを用いた浄水器の縦断面図、図２（ｂ）は本発明の一実施の形態におけるシャワー吐水装置とそれを用いた浄水器の吐出口キャップの上面図、図３は本発明の一実施の形態におけるシャワー吐水装置とそれを用いた浄水器の横断面図である。従来のシャワー吐水装置とそれを用いた浄水器の説明の中で使用した符号と同符号を使用しているものは、基本的に図４、図５（ａ）（ｂ）に関する上記の説明と重複するから、詳しい説明はそこに譲って省略する。図１において１は水道栓、２は固定ナット、３は操作レバー、４は吐出口キャップ、５は浄水吐出部、６は浄水器の下ケース、７はその上ケース、８は濾過カートリッジである。９は継手パイプである。この吐出キャップ４は下ケース６と一体に形成してもよい。操作レバー３が原水のストレート吐出、シャワー吐出を行う位置にあるときは、水は矢印ＡからＦに流れ、浄水の吐出を行う位置にあるときは矢印ＡからＢ，Ｃ，Ｄ，Ｅと流れる。
【００２４】
次にシャワー吐水装置とそれを用いた浄水器の内部の詳細について説明する。図２（ａ）（ｂ）、図３において、１０は水スイッチケース、１０ａは円筒腔壁、１０ｂは３つの給水口、１１は回転弁棒、１１ａは突起カム、１１ｂは水路溝である。１２はＯリング、１３はフィルタープレート、１３ａは多数のフィルター孔、１４は十字状リブ付き弁棒、１５はＤリングである。また１６は連結管、１８は圧縮バネである。３０は原水のストレート用流入口３０，３１はシャワー用流入口である。また１９は着脱自在の濾過カートリッジ８内に設けられた活性炭層で、浄水路を構成する連結管１６を通って原水が導かれる。２０は濾過カートリッジ８内に設けられた中空糸膜で、活性炭層１９の内周側に配置されている。原水は濾過カートリッジ８の外周側に設けられた活性炭層１９内を通過し、ここで不純物や残留塩素等を取り除かれ、濾過カートリッジ８の端部で反転して中空糸膜２０内に入る。この中空糸膜２０内で一般細菌等を濾過された浄水は、浄水路に設けられた流量チェッカー２１を経て、浄水吐出部５から吐出される。この流量チェッカー２１は、濾過カートリッジ８から吐出される浄水の吐出圧を受ける受圧体２２と、その圧力に抗して受圧体を付勢するスプリング等から構成されており、浄水器が目詰まりして能力が落ちてきたら外部にそれを報知することができるものである。
【００２５】
そこでまず本発明の一実施の形態であるシャワー吐水装置の構造について詳細に説明する。４０は吐出キャップ４に設けられた多数のシャワー孔、４１，４２は多数のシャワー孔４０のうち外周側２列に形成された仕切リブ、４３は分配リングである。仕切リブ４１，４２は分配リング４３とともに、整流リブとして機能する。最外周に置かれたシャワー孔４０列と、その１つ内側に置かれたシャワー孔４０列は、周方向に半ピッチずれて配列されており、同様、シャワー孔４０の周囲の仕切リブ４１と仕切リブ４２も半ピッチずれて設けられている。仕切リブ４１の高さは分配リング４３より若干低く、仕切リブ４２は分配リング４３と同高さに形成されている。これによって最外周のシャワー孔４０列からの噴出流を強めることができ、シャワー孔４０を通しての全体の噴出状態を均一なものにすることができる。そしてこの仕切リブ４１，４２は吐出キャップの強度を上げるものである。
【００２６】
４５は円形状のストレート吐出口、４４はストレート吐出口４５を形成する円筒部である。水スイッチケース１０のストレート用流入口３０から円筒部が立設されているから、これに円筒部４４を挿入して嵌合させれば、２つの円筒部でストレート用流路が構成されることになる。４６は分散面部で、水スイッチケース１０に形成されたシャワー用流入口３１と対向した位置で、かつ、シャワー吐出口４７側からシャワー用水室４９内に突出して設けられている。分散面部４６は分配リング４３と円筒部４４との間に設けた扇状の平面部であって、シャワー用流入口３１と接近させられ、流入する原水がこれを直撃して他の部分に流れを分散させるようになっている。分散面部４６が高い位置にあるので、流れは水スイッチケース１０側に大きな循環流を作ることなく、満遍なくシャワー孔４０のいずれにも回り込み仕切リブ４１，４２に案内されて吐出される。仕切リブ４１の高さが若干低いので、最外周のシャワー孔４０にも一様に流れ込み易くなる。
【００２７】
ところでシャワー用流入口３１とストレート用流入口３０は水スイッチの回転弁棒１１の水路溝１１ｂに対応して設けられるから、回転弁棒１１の長手方向に沿って直線状に配置されている。しかしストレート吐出口４５とシャワー吐出口４７はコンパクトな同心状に配置され、このうちストレート用流入口３０とストレート吐出口４５が中心軸４８上に置かれるから、シャワー用流入口３１はシャワー吐出口４７の中心軸４８から偏心して設けられことになる。しかし本実施の形態ではシャワー用流入口から流入した原水は分散面部によって分散され、各シャワー孔から吐出される噴出流を均等化できるものである。ストレート吐出口ことができる。
【００２８】
次にこの浄水器を用いる場合の動作について説明する。なお従来例で説明したのと同様であるから、ここでは詳細な説明は省略する。まず原水をストレートに吐出させたいときは、操作レバー３を回動して中央の十字状リブ付き弁棒１４を突起カム１１ａで持ち上げ、回転弁棒１１の外周の水路溝１１ｂ、ストレート用流路、ストレート吐出口４５から吐出する。また原水をシャワー吐出させたいときは、操作レバー３を回動して右の十字状リブ付き弁棒１４を突起カム１１ａで持ち上げ、回転弁棒１１の一番右の水路溝１１ｂ、シャワー用流入口３１、シャワー用水室４９を介してシャワー吐出口４７のシャワー孔４０から吐出する。次に浄水を吐出させたいときには、一番左の十字状リブ付き弁棒１４を突起カム１１ａで持ち上げ、回転弁棒１１の一番左の水路溝１１ｂ、連結管１６、濾過カートリッジ８の中の活性炭層１９、中空糸膜２０を通り、流量チェッカー２１で流量をチェックされた後、浄水吐出部５から吐出するものである。このように本発明の一実施の形態の浄水器は水スイッチにより簡単に切り換えができ、シャワー吐水装置の部分をコンパクトにすることができるものである。
【００２９】
【発明の効果】
このように本発明のシャワー吐水装置は、シャワーを均等な噴出流とすることができ、シャワーを手を触れても手触りがよく、噴出流が一方に傾斜しすぎたり、シャワーの噴出形状がよいものである。
【００３０】
さらに本発明の浄水器は、小型、軽量で水道栓に直結することができ、原水をそのままストレートに吐出するか、シャワーとするか、あるいは浄水とするかを簡単に切り換えられ、シャワー吐水装置をコンパクトにまとまったものにすることができ、台所等のじゃまにならないものである。
【図面の簡単な説明】
【図１】本発明の一実施の形態における浄水器の外観斜視図
【図２】（ａ）本発明の一実施の形態におけるシャワー吐水装置とそれを用いた浄水器の縦断面図
（ｂ）本発明の一実施の形態におけるシャワー吐水装置とそれを用いた浄水器の吐出口キャップの上面図
【図３】本発明の一実施の形態におけるシャワー吐水装置とそれを用いた浄水器の横断面図
【図４】従来の浄水器の外観斜視図
【図５】（ａ）従来のシャワー吐水装置と浄水器の縦断面図
（ｂ）従来のシャワー吐水装置と浄水器の吐出口キャップの上面図
【符号の説明】
１  水道栓
２  固定ナット
３  操作レバー
４  吐出口キャップ
５  浄水吐出部
６  下ケース
７  上ケース
８  濾過カートリッジ
９  継手パイプ
１０  水スイッチケース
１０ａ  円筒腔壁
１０ｂ  給水口
１１  回転弁棒
１１ａ  突起カム
１１ｂ  水路溝
１２  Ｏリング
１３  フィルタープレート
１３ａ  フィルター孔
１４  十字状リブ付き弁棒
１５  Ｄリング
１６  連結管
１８  圧縮バネ
１９  活性炭層
２０  中空糸膜
２１  流量チェッカー
２２  受圧体
３０  ストレート用流入口
３１  シャワー用流入口
３３  浄水路
４０  シャワー孔
４１，４２  仕切リブ
４３  分配リング
４４  円筒部
４５  ストレート吐出口
４６  分散面部
４７  シャワー吐出口
４８  中心軸
４９  シャワー用水室
【図１】
0003632279.tif 000002
【図２】
0003632279.tif 000003
【図３】
0003632279.tif 000004
【図４】
0003632279.tif 000005
【図５】
0003632279.tif 000006